(57)【要約】【課題】  従来の理美容用洗髪装置にあっては、洗髪ボールの下面側にはリンク機構が存在するために、施術者の足下のリンク機構が邪魔となりリアシャンプーが行い難いといった問題があった。【解決手段】  油圧シリンダ等のアクチュエータ２４によって駆動する４節リンク２３と、該４節リンクの上端に取付けられた横長の枠体２６と、該枠体の前記４節リンクが取付けられた位置とは反対側に取付けられた洗髪ボール１とより構成し、フロントシャンプーやリアシャンプー時には、前記４節リンクより離れた位置で洗髪が行えるようにした理美容用洗髪装置である。【選択図】        図１
2014193252.tif 000002
【特許請求の範囲】
【請求項１】
油圧シリンダ等のアクチュエータによって駆動する４節リンクと、該４節リンクの上端に取付けられた横長の枠体と、該枠体の前記４節リンクが取付けられた位置とは反対側に取付けられた洗髪ボールとより構成し、フロントシャンプーやリアシャンプー時には、前記４節リンクより離れた位置で洗髪が行えるようにしたことを特徴とする理美容用洗髪装置。
【請求項２】
前記４節リンクは、４節リンクを駆動して前記洗髪ボールがフロントシャンプー位置に達すると、前記洗髪ボールのネック受け側が低い位置に変移させ、リアシャンプー位置に達すると、前記洗髪ボールのネック受け側が高い位置に変移させる構造であることを特徴とする請求項１記載の理美容用洗髪装置。
【請求項３】
前記洗髪ボールと、前記枠体との間にスライド機構を設け、リアシャンプー時に前記洗髪ボールを被洗髪者に近接、離開する方向にスライドさせ、かつ、所望のスライド位置においてロック可能としたことを特徴とする請求項１記載の理美容用洗髪装置。
【請求項４】
前記油圧シリンダ等のアクチュエータを無線送信機で遠隔操作をすることで、洗髪ボールを予め設定した位置で停止し、かつ前記洗髪ボールを被洗髪者の頭部やネック位置に合わせて微調整が行なえるようにしたことを特徴とする請求項１記載の理美容用洗髪装置。
【発明の詳細な説明】
【技術分野】
【０００１】
本発明は被洗髪者が着座する椅子の背面にある洗髪ボールを被施術者の後頭部側に移動、あるいは離れる方向に移動させるリンク機構を洗髪ボールの側面側に配置し、洗髪ボールを被洗髪者の後頭部側に移動させた状態において、洗髪者によるリアシャンプーやフロントシャンプーを行う際に前記リンク機構が邪魔になることがない理美容用洗髪装置に関する。
【背景技術】
【０００２】
従来における理美容用洗髪装置としては、例えば、実公平２−４０８８３号公報に記載された発明が存在する。この発明における理美容用洗髪装置は、理美容室の床面に固定された支台に２対の平行リンクの下端を軸支し、前記平行リンクの上端を洗髪ボールの下面に固定された受台に軸支し、前記１対の１つのリンクと、他の１対のリンクとの間に引っ張りバネを取付け、かつ、支台に設置され移動可能と固定とに切換え可能なロック装置とより構成したリンク機構である。また前記リンク機構は２つのカバーによって覆われている。
【０００３】
そして、洗髪時にはロック装置のロックを解除して洗髪ボールを被洗髪者側に押すことでリンクが起伏するので、被洗髪者の頭部側における任意の位置に洗髪ボールを近づけ、この位置において前記ロック装置をロックすることで洗髪ボールを固定できるものである。
【先行技術文献】
【特許文献】
【０００４】
【特許文献１】実公平２−４０８８３号公報
【発明の概要】
【発明が解決しようとする課題】
【０００５】
被施術者が女性の場合には化粧をしていることからフロントシャンプーは行えず、リアシャンプーでの洗髪を行うことが望ましいが、前記した先行文献１の理美容用洗髪装置にあっては、洗髪ボールの下面側にはリンク機構が存在するために、施術者の足下のリンク機構が邪魔となりリアシャンプーが行い難いといった問題があった。
【０００６】
そこで業界では、施術者が洗髪ボールの側面から洗髪をするサイドシャンプーを行うことが多い。しかし、サイドシャンプーは洗髪者に無理な姿勢を強いるため負担が大きく、また、サイドシャンプーは被施術者が仰臥した姿勢で洗髪を行うため、腰が湾曲し仰臥姿勢をとることが難しいお年寄り等にとっては姿勢に対する負荷が大きいといった問題もあった。
【０００７】
本発明は前記した問題点を解決せんとするもので、その目的とするところは、洗髪ボールを被洗髪者側に近づけ、または離す方向に変移させるリンク機構を洗髪ボールの側面側に配置して、洗髪者によるリアシャンプーを行う際に足元にリンク機構が存在せず、また、フロントシャンプーやサイドシャンプー時にもリンク機構が邪魔になることがなく、従って、如何なる姿勢による洗髪作業が行える理美容用洗髪装置を提供せんとするにある。
【課題を解決するための手段】
【０００８】
本発明の理美容用洗髪装置は、前記した目的を達成せんとするもので、請求項１の手段は、油圧シリンダ等のアクチュエータによって駆動する４節リンクと、該４節リンクの上端に取付けられた横長の枠体と、該枠体の前記４節リンクが取付けられた位置とは反対側に取付けられた洗髪ボールとより構成し、フロントシャンプーやリアシャンプー時には、前記４節リンクより離れた位置で洗髪が行えるようにしたことを特徴とする。
【０００９】
請求項２の手段は、前記した請求項１において、前記４節リンクは、４節リンクを駆動して前記洗髪ボールがフロントシャンプー位置に達すると、前記洗髪ボールのネック受け側が低い位置に変移させ、リアシャンプー位置に達すると、前記洗髪ボールのネック受け側が高い位置に変移させる構造であることを特徴とする。
【００１０】
請求項３の手段は、前記した請求項１において、前記洗髪ボールと、前記枠体との間にスライド機構を設け、リアシャンプー時に前記洗髪ボールを被洗髪者に近接、離開する方向にスライドさせ、かつ、所望のスライド位置においてロック可能としたことを特徴とする。
【００１１】
請求項４の手段は、前記した請求項１において、前記油圧シリンダ等のアクチュエータを無線送信機で遠隔操作をすることで、洗髪ボールを予め設定した位置で停止し、かつ前記洗髪ボールを被洗髪者の頭部やネック位置に合わせて微調整が行なえるようにしたことを特徴する。
【発明の効果】
【００１２】
本発明は前記したように、洗髪ボールの側面から洗髪を行うフロントシャンプー洗髪、および被洗髪者の後方より洗髪ボールを挟んで洗髪を行うリアシャンプー洗髪の際において、４節リンクと離れた位置で行うこととなるので、洗髪者による洗髪作業が容易となる。また、フロントシャンプー時における洗髪者の作業が容易であると共に腰の曲がったお年寄りもフロントシャンプーでの洗髪を行うことで被洗髪者も安楽に洗髪を受けることができる。
【００１３】
また、フロントシャンプー時にはネック受け側が低い位置となって洗髪ボールの開口部周縁が略水平状態となるので、洗髪者による洗髪時の洗髪ボール内に手を入れやすくなって洗髪作業が容易となり、また、リアシャンプー時にはネック受け側が高い位置となり、洗髪者が位置する洗髪ボールの開口部周縁は低い位置となるので、洗髪者による洗髪時に洗髪ボール内に手を入れやすくなって洗髪作業が行いやすくなる。なお、フロントシャンプー時およびリアシャンプー時において、被洗髪者の髪は洗髪ボール１の深い部分に位置するので、洗髪時において洗髪液が外部に流れにくい。
【００１４】
さらに、洗髪ボールは、前記枠体に対して被洗髪者の近接、離開する方向にスライド可能であることから、被洗髪者の座高に合わせて移動して被洗髪者のネックをネック受けに合致させ、かつ、その位置でロックすることで、被洗髪者は安楽な姿勢で洗髪を受けることができといった効果を有するものである。
【００１５】
また、無線送信機を洗髪者が所持し、該無線送信機を洗髪者が操作することで洗髪ボールを初期位置、フロントあるいはリアシャンプー位置の何れかに自動的にセットでき、またフロントあるいはリアシャンプー洗髪において被洗髪者の頭部やネック位置と洗髪ボールとの位置を合わせて微調整が行なえるので、被洗髪者の洗髪開始までの時間の短縮が図れる等の効果を有するものである。
【図面の簡単な説明】
【００１６】
【図１】本発明に係る理美容用洗髪装置の斜視図である。
【図２】洗髪ボールの初期位置を示した側面図である。
【図３】フロントシャンプーを行う位置に駆動機構を介して洗髪ボールを移動した側面図である。
【図４】リアシャンプーを行う位置に駆動機構を介して洗髪ボールを移動した側面図である。
【図５】スライド機構の分解斜視図である。
【図６】図５を組立した状態の正面図である。
【図７】図６のスライド機構の初期位置を示す側面図である。
【図８】図７のスライド機構のロックを解除した状態を示す側面図である。
【図９】図８のスライド機構のロックを解除して洗髪ボールを移動した後にロックした状態を示す側面図である。
【図１０】図４のリアシャンプー時において洗髪ボールのみを被洗髪者側にスライド機構を介して移動した状態の側面図である。
【発明を実施するための形態】
【００１７】
以下、本発明の理美容用洗髪装置の実施例を図面と共に説明する。
図１〜図５は洗髪ボールを初期位置からフロントシャンプーを行う位置までの移動と、該フロントシャンプー位置からリアシャンプー位置まで移動させるリンク機構について説明する。
【００１８】
１はシャワーヘッド、止水栓、温度調節栓および排水孔が設けられている公知の洗髪ボールである。なお、１１は被洗髪者のネックを支持するネック受けである。
【００１９】
２は前記したリンク機構にして、２１は理美容院の床面に固定された基板、２２は該基板２１に固定された長尺の第１平行リンク２３ａと、短尺の第２平行リンク２３ｂとからなる４節リンク２３の下端を軸支するための一対の取付板である。なお、第１平行リンク２３ａの間には補強部材２３ｃが取付けられている。
【００２０】
２４は前記基板２１に一端が軸支された油圧ポンプおよびシリンダからなる油圧シリンダ装置、２５は前記１平行リンク２３ａの先端を水平部２５ａに軸支し、また、第２平行リンク２３ｂの先端を垂下辺２５ｂに軸支するリンク軸支板である。前記油圧シリンダ装置のシリンダ内に圧力油を供給してピストン２４ａを突出させると、第１平行リンク２３ａと第２平行リンク２３ｂが図２〜図４に示すよう左方向に起立変移する。
【００２１】
２６は前記リンク軸支板２５に固定された横長の枠体にして、該枠体２６のリンク軸支板２５が取付けられている他端側に後述するスライド機構３を介して前記した洗髪ボール１が取付けられている。すなわち、洗髪者が被洗髪者のフロントシャンプーやリアシャンプーを行う時に、リンク機構２より離れた位置に立って作業を行うこととなるので、従来のように洗髪ボールの真下にリンク機構が存在するものと比較して作業性が良好となる。
【００２２】
次に、４節リンク２３の動作について説明する。
図２の洗髪ボール１が初期位置にある状態において、油圧シリンダ装置２４のシリンダ内に圧力油を供給すると第１平行リンク２３ａが取付板２２の軸支部を支点として反時計方向に回動を開始すると前記リンク軸支板２５が上昇を開始するので、第２平行リンク２３ｂが反時計方向に回動を開始する。
【００２３】
この第１、第２平行リンク２３ａ，２３ｂの回動に伴ってリンク軸支板２５は第１平行リンク２３ａとの軸支部を支点とし反時計方向に回動され、従って、洗髪ボール１はネック受け１１が下方に変移して図３のフロントシャンプーの位置となる。すなわち、被洗髪者が洗髪ボール１に頭部を挿入しやすい状態となるので、洗髪者は洗髪ボール１の側面より洗髪を行う。
【００２４】
さらに、油圧シリンダ装置２４のシリンダ内に圧力油を供給すると、第１平行リンク２３ａは垂直方向に回動され、この回動に伴ってリンク軸支板２５が上昇するので第２平行リンク２３ｂが垂直方向に回動する。この第１、第２平行リンク２３ａ，２３ｂの回動においてリンク軸支板２５は上昇して図４のリアシャンプーの位置となる。
【００２５】
すなわち、被洗髪者が着座している椅子を１８０度回転することで、被洗髪者が仰臥状態となってネックをネック受け１１に載置することで、洗髪者は洗髪ボール１を挟んだ位置で洗髪を行う。
【００２６】
前記したフロントシャンプー時およびリアシャンプー時において、被洗髪者の髪は洗髪ボール１の深い部分に位置するので、洗髪時において洗髪液が外部に流れることがなく、また、フロントシャンプー時にはネック受け１１側が低い位置となって洗髪ボール１の開口部周縁が略水平状態となるので、洗髪者による洗髪時に洗髪ボール１内に手を入れやすく、従って、洗髪作業を容易に行える。
【００２７】
また、リアシャンプー時にはネック受け１１側が高い位置となり、該ネック受け１１の反対側（洗髪者が位置する側）洗髪ボール１の開口部周縁は低い位置となるので、洗髪者による洗髪時に洗髪ボール１内に手を入れやすく、従って、洗髪作業を容易に行える。
【００２８】
なお、前記した４節リンク２３および油圧シリンダ装置２４が露出していると体裁が悪く、かつ、被施術者や施術者の衣服等が汚れるのを防止するために図示していないがカバーによって覆われている。また、４節リンク２３を駆動する機構としては油圧シリンダに限定されるものではなく電気モータ等のアクチュエータであってもよい。
【００２９】
次に、リアシャンプー時において被洗髪者に対する洗髪ボール１の高さ位置は決定されたが、被洗髪者の座高差による被洗髪者のネックとネック受け１１とが合致しないような場合に、洗髪ボール１を前後動させて被洗髪者のネットとネック受け１１とを一致させるためのスライド機構３を図５〜図９と共に説明する。
【００３０】
３１は洗髪ボール１が載置固定される載置台、３２は該載置台３１の垂下辺３１ａの内側に固定されるコの字状のスライド板、３３は前記枠体２６に固定されるＬ字状に形成された一対のロック板にして先端側に複数個のロック溝３３ａが形成されている。
【００３１】
前記ロック板の前記スライド板３２と対向する面にはローラ３３ｂがネジ３３ｃによって回転自在に取付けられ、該ローラ３３ｂはスライド板３２内に嵌まりこんでいる。従って、ロック板３３に対してスライド板３２はロック板３３に対してスライドすることで、スライド板３２が移動することで載置台３１はロック板３３に対して移動可能となる。
【００３２】
３４は凸形状に形成されたロック杆にして、軸支部３４ａは前記載置台３１の垂下辺３１ａに形成されている軸受部３１ｂに挿入され、該挿入状態を維持するための抜け止め板３１ｃによって軸支部３４ａの抜け止めが施されている。なお、軸支部３４ａの先端には、該軸支部３４ａを回転させるための握り部３４ｂを設け、該握り部３４ｂを回動することで、ロック杆３４は載置台３１の軸受部３１ｂを支点として回動することとなる。
【００３３】
前記ロック杆３４における前記軸支部３４ａに連接されているロック係合部３４ｃは載置部３１内に位置し、かつ、軸支部３４ａ側に近接してロック係合部３４ｃの部分は、前記ロック板３３に形成されている複数個のロック溝３３ａの何れかと係合可能となっている。また、ロック板３３の前記スライド板３２と対向する起立面には一端が軸支されたスプリングバネ３３ｄが取付けられ、該スプリングバネ３４ｄの他端はロック係合部３４ｃより突出している係合突起３４ｄに係合されている。
【００３４】
次に、スライド機構３の動作について説明するに、被洗髪者の座高差によって図７に示す標準位置（ロック係合部３４ｃがロック板３３のロック溝３３ａの右端に係合されている）より洗髪ボール１のネック受け１１を近接させる場合には、握り部３４ｂを反時計方向にスプリングバネ３３ｄのバネ力に抗して回動すると、軸支部３４ａが回動しロック係合部３４ｃがロック板３３のロック溝３３ａより離脱される（図８参照）。
【００３５】
この状態において、洗髪ボール１を被洗髪者側に洗髪者が押すと、載置台３１に取付けられているスライド板３２がロック板３３に取付けられているローラが回転し移動が開始される。この移動状態を洗髪者が被洗髪者のネックとネック受け１１との間隔を見て、被洗髪者のネックとネック受け１１との間隔が最適であると判断した位置で洗髪ボールを停止し、かつ、握り部３４ｂから手を離すとスプリングバネ３３ｄのバネ力によってロック係合部３４ｃが、ロック板３３のロック溝３３ａ側に回動されるので、洗髪者はロック係合部３４ｃをロック溝３３ａに係合することでロックされて洗髪ボール１は停止するので、被洗髪者は安楽な状態での洗髪が行われることとなる（図９、図１０参照）。
【００３６】
なお、前記した載置台３１を図５において右方向に移動させてスライド板３２がロック板３３に対して移動するので、載置台３１を必要以上に移動させるとスライド板３２がロック板３３より抜け出て載置台３１に取付けられている洗髪ボール１が枠体２６から落下する可能性があるので、スライド板３２に図示しないストッパーを形成してスライド板３２がロック板３３より抜け出ないようにすることが望ましい。
【００３７】
前記した油圧シリンダ等のアクチュエータを駆動する手段としては４節リンク２３を覆うカバー等にスイッチを取付け、該スイッチを洗髪者が操作することで、洗髪ボール１を初期位置、フロントシャンプー位置、リアシャンプー位置に設定する場合について説明したが、前記フロントシャンプー位置、リアシャンプー位置で洗髪を行なう場合には、洗髪者は前記４節リンク２３より離れた位置での洗髪作業となるので洗髪ボール１の移動操作が面倒である。
【００３８】
そこで、洗髪者が無線送信機を所持し、該無線送信機よりの信号を前記カバー内にセットした受信機で受けて油圧シリンダ等のアクチュエータを駆動するようにすることで、無線送信機に洗髪ボールを期位置、フロントあるいはリアシャンプー位置で停止させるボタンを設定することで、洗髪ボールの設定位置への移動を短時間で、かつ正確な位置に移動させることができ、またフロントあるいはリアシャンプー洗髪において被洗髪者の頭部やネック位置と洗髪ボールとの位置を合わせて微調整が行なえるようにすることで、被洗髪者の洗髪作業を安全に、かつ短時間で洗髪作業を開始できる。
【符号の説明】
【００３９】
１          洗髪ボール
１１        ネック受け
２３        ４節リンク
２４        油圧シリンダ装置
２６        枠体
３          スライド機構
【図１】
2014193252.tif 000003
【図２】
2014193252.tif 000004
【図３】
2014193252.tif 000005
【図４】
2014193252.tif 000006
【図５】
2014193252.tif 000007
【図６】
2014193252.tif 000008
【図７】
2014193252.tif 000009
【図８】
2014193252.tif 000010
【図９】
2014193252.tif 000011
【図１０】
2014193252.tif 000012